(57)【要約】      （修正有）【課題】避難所において、被災者が避難先の避難所の設備情報を容易に素早く把握することができ、避難所に入ってくる情報をスムーズに把握することができる避難所用標示物セットを提供する。【解決手段】避難所用標示物セットは、案内標示用積層体１を含み、案内標示用積層体１は基材を備え、基材上には印刷層が設けられており、印刷層は第１印刷面と第２印刷面とを備え、第１印刷面は案内標示用積層体１の中心方向から端部方向に向けて設けられ、方向を示す形状、文字、記号、又は色彩、あるいはそれらの１種以上の組み合わせから選択される方向標示領域４を構成し、第２印刷面は案内標示用積層体１の中心領域に設けられ、文字、数字、又は記号、あるいはそれらの１種以上の組み合わせから選択されるメッセージ領域５を構成し、第１印刷面を含む案内標示用積層体１の各端部領域には脆弱部が設けられており夫々切り離し可能である。【選択図】図２
2018112683.tif 000002
【特許請求の範囲】
【請求項１】
避難所用標示物セットであって、
前記避難所用標示物セットは案内標示用積層体を含み、
前記案内標示用積層体は基材を備え、
前記基材上には、印刷層が設けられており、
前記印刷層は第１印刷面と第２印刷面とを備え、
前記第１印刷面は、前記案内標示用積層体の中心方向から端部方向に向けて設けられ、方向を示す形状、文字、記号、又は色彩、あるいはそれらの１種以上の組み合わせから選択される方向標示領域を構成し、
前記第２印刷面は、前記案内標示用積層体の中心領域に設けられ、文字、数字、又は記号、あるいはそれらの１種以上の組み合わせから選択されるメッセージ領域を構成し、
前記第１印刷面を含む前記案内標示用積層体の各端部領域には脆弱部が設けられており、夫々切り離し可能であることを特徴とする、避難所用標示物セット。
【請求項２】
前記第１印刷面が、前記案内標示積層体の少なくとも前後及び左右方向に夫々設けられており、少なくとも前後及び左右方向夫々の方向を示す方向標示領域を備えていることを特徴とする、請求項１に記載の避難所用標示物セット。
【請求項３】
ゴミ分別標示用積層体をさらに含み、
前記ゴミ分別標示用積層体は基材を備え、
前記基材上には、印刷層が設けられており、
前記印刷層は、文字、数字、記号、又は色彩、あるいはそれらの１種以上の組み合わせから選択されるゴミ分別標示領域を構成し、
前記ゴミ分別標示用積層体には、一辺と他辺を横断する折り曲げ線が少なくとも１以上設けられていることを特徴とする、請求項１又は２に記載の避難所用標示物セット。
【請求項４】
掲示板標示用積層体をさらに含み、
前記掲示板標示用積層体は基材を備え、
前記基材上には、印刷層が設けられており、
前記印刷層は、文字、数字、記号、又は色彩、あるいはそれらの１種以上の組み合わせから選択されるカテゴリ標示領域を構成することを特徴とする、請求項１乃至３のいずれか１項に記載の避難所用標示物セット。
【請求項５】
スタッフ標示用積層体をさらに含み、
前記スタッフ標示用積層体は基材を備え、
前記基材上には、印刷層が設けられており、
前記印刷層は第１印刷面と第２印刷面とを備え、
前記第１印刷面は、文字、数字、記号、又は色彩、あるいはそれらの１種以上の組み合わせから選択される第１役割標示領域を構成し、
前記第２印刷面は、記号又は色彩、あるいはそれらの組み合わせからなる第２役割標示領域を構成し、
前記第１印刷面と前記第２印刷面の境界には脆弱部が設けられており、夫々切り離し可能であることを特徴とする、請求項１乃至４のいずれか１項に記載の避難所用標示物セット。
【請求項６】
区画標示用積層体をさらに含み、
前記区画標示用積層体は基材を備え、
前記基材上には、印刷層が設けられており、
前記印刷層は、文字、数字、記号、又は色彩、あるいはそれらの１種以上の組み合わせから選択される区画標示領域を構成することを特徴とする、請求項１乃至５のいずれか１項に記載の避難所用標示物セット。
【請求項７】
地図作成標示用積層体をさらに含み、
前記地図作成標示用積層体は基材を備え、
前記基材上には、印刷層が設けられており、
前記印刷層は１以上の印刷面を備え、
前記１以上の印刷面は、文字、数字、記号、又は色彩、あるいはそれらの１種以上の組み合わせから選択される地点標示領域を構成し、
前記１以上の印刷面の外周部には各々脆弱部が設けられており、夫々切り離し可能であることを特徴とする、請求項１乃至６のいずれか１項に記載の避難所用標示物セット。
【請求項８】
標示用積層体が、シール、テープ、ラベル、又はタグ、あるいはそれらの組み合わせから選択されることを特徴とする、請求項１乃至７のいずれか１項に記載の避難所用標示物セット。
【請求項９】
請求項１乃至８のいずれか１項に記載の避難所用標示物セットの標示用積層体は、基材の印刷層が設けられた面とは反対側の面に、接着剤層を介して剥離紙層が設けられていることを特徴とする、請求項１乃至８のいずれか１項に記載の避難所用標示物セット。
【発明の詳細な説明】
【技術分野】
【０００１】
本発明は避難所用標示物セットに係り、より詳しくは、避難所において、被災者が避難先の避難所の設備情報を容易に素早く把握することができ、避難所に入ってくる情報をスムーズに把握することができる避難所用標示物セットに関する。
【背景技術】
【０００２】
各自治体は、地震や台風等の災害時に、被災者が避難生活を送るための場所として、学校や公民館のような公共施設を避難所として指定している。
【０００３】
災害発生時には、避難所周辺の住民が避難所に集まり、共同生活を行うことになる。しかしながら、避難所は、通常、学校や公民館として機能している公共施設であるため、共同生活を行うためには後述する種々の問題が存在している。
【０００４】
避難所の施設案内がわかり難く、居住スペース、食事スペース、通路等の明確なスペース分けがなされていないため、避難所の各設備を被災者が把握できず、スペースを有効活用できない。また、避難所の各設備やスペースについて、どこの誰に相談すれば良いのかわからない。
【０００５】
支援物資の告知や安否確認等の情報更新がスムーズに行われておらず、被災者が情報不足に陥り易い。誰がスタッフあるいはボランティアなのか見分けがつかず、困ったときにどこの誰に相談すれば良いかわからない。
【０００６】
避難所に設けられる様々な標示が漢字で記載されており、子供や外国人が理解できないため、情報が正確に伝わらないことがある。
【０００７】
特許文献１には、シート状の本体部品と、シート状部品の開口に任意の位置ではめ込みできる指示部品とからなり、前記シート状本体部品及び指示部品とは、その裏面に接着剤を有しており、シート状本体部品の開口に対して指示部品を所望の位置に置いてはめ込んだ状態で対象物に接着する案内標示シートが開示されている。
【０００８】
しかしながら、特許文献１の案内標示シートは、避難所までの距離や方向を示すものであり、避難所内で使用されるものではなく、避難所において、被災者が避難先の避難所の設備情報を容易に素早く把握することができ、避難所に入ってくる情報をスムーズに把握することができる標示物を提供するという技術的思想はない。
【先行技術文献】
【特許文献】
【０００９】
【特許文献１】実用新案登録第３０８３２６９号
【発明の概要】
【発明が解決しようとする課題】
【００１０】
上記の通り、被災者が避難先の避難所の設備情報を容易に素早く把握することができ、避難所に入ってくる情報をスムーズに把握することができる避難所での標識を提供するものはない。
本発明は、上記したような従来技術の問題点を解決すべくなされたものであって、避難所において、被災者が避難先の避難所の設備情報を容易に素早く把握することができ、避難所に入ってくる情報をスムーズに把握することができる避難所用標示物セットを提供するものである。
【課題を解決するための手段】
【００１１】
請求項１に係る発明は、避難所用標示物セットであって、
前記避難所用標示物セットは案内標示用積層体を含み、
前記案内標示用積層体は基材を備え、
前記基材上には、印刷層が設けられており、
前記印刷層は第１印刷面と第２印刷面とを備え、
前記第１印刷面は、前記案内標示用積層体の中心方向から端部方向に向けて設けられ、方向を示す形状、文字、記号、又は色彩、あるいはそれらの１種以上の組み合わせから選択される方向標示領域を構成し、
前記第２印刷面は、前記案内標示用積層体の中心領域に設けられ、文字、数字、又は記号、あるいはそれらの１種以上の組み合わせから選択されるメッセージ領域を構成し、
前記第１印刷面を含む前記案内標示用積層体の各端部領域には脆弱部が設けられており、夫々切り離し可能であることを特徴とする、避難所用標示物セットに関する。
【００１２】
請求項２に係る発明は、前記第１印刷面が、前記案内標示積層体の少なくとも前後及び左右方向に夫々設けられており、少なくとも前後及び左右方向夫々の方向を示す方向標示領域を備えていることを特徴とする、請求項１に記載の避難所用標示物セットに関する。
【００１３】
請求項３に係る発明は、ゴミ分別標示用積層体をさらに含み、
前記ゴミ分別標示用積層体は基材を備え、
前記基材上には、印刷層が設けられており、
前記印刷層は、文字、数字、記号、又は色彩、あるいはそれらの１種以上の組み合わせから選択されるゴミ分別標示領域を構成し、
前記ゴミ分別標示用積層体には、一辺と他辺を横断する折り曲げ線が少なくとも１以上設けられていることを特徴とする、請求項１又は２に記載の避難所用標示物セットに関する。
【００１４】
請求項４に係る発明は、掲示板標示用積層体をさらに含み、
前記掲示板標示用積層体は基材を備え、
前記基材上には、印刷層が設けられており、
前記印刷層は、文字、数字、記号、又は色彩、あるいはそれらの１種以上の組み合わせから選択されるカテゴリ標示領域を構成することを特徴とする、請求項１乃至３のいずれか１項に記載の避難所用標示物セットに関する。
【００１５】
請求項５に係る発明は、スタッフ標示用積層体をさらに含み、
前記スタッフ標示用積層体は基材を備え、
前記基材上には、印刷層が設けられており、
前記印刷層は第１印刷面と第２印刷面とを備え、
前記第１印刷面は、文字、数字、記号、又は色彩、あるいはそれらの１種以上の組み合わせから選択される第１役割標示領域を構成し、
前記第２印刷面は、記号又は色彩、あるいはそれらの組み合わせからなる第２役割標示領域を構成し、
前記第１印刷面と前記第２印刷面の境界には脆弱部が設けられており、夫々切り離し可能であることを特徴とする、請求項１乃至４のいずれか１項に記載の避難所用標示物セットに関する。
【００１６】
請求項６に係る発明は、区画標示用積層体をさらに含み、
前記区画標示用積層体は基材を備え、
前記基材上には、印刷層が設けられており、
前記印刷層は、文字、数字、記号、又は色彩、あるいはそれらの１種以上の組み合わせから選択される区画標示領域を構成することを特徴とする、請求項１乃至５のいずれか１項に記載の避難所用標示物セットに関する。
【００１７】
請求項７に係る発明は、地図作成標示用積層体をさらに含み、
前記地図作成標示用積層体は基材を備え、
前記基材上には、印刷層が設けられており、
前記印刷層は１以上の印刷面を備え、
前記１以上の印刷面は、文字、数字、記号、又は色彩、あるいはそれらの１種以上の組み合わせから選択される地点標示領域を構成し、
前記１以上の印刷面の外周部には各々脆弱部が設けられており、夫々切り離し可能であることを特徴とする、請求項１乃至６のいずれか１項に記載の避難所用標示物セットに関する。
【００１８】
請求項８に係る発明は、標示用積層体が、シール、テープ、ラベル、又はタグ、あるいはそれらの組み合わせから選択されることを特徴とする、請求項１乃至７のいずれか１項に記載の避難所用標示物セットに関する。
【００１９】
請求項９に係る発明は、請求項１乃至８のいずれか１項に記載の避難所用標示物セットの標示用積層体は、基材の印刷層が設けられた面とは反対側の面に、接着剤層を介して剥離紙層が設けられていることを特徴とする、請求項１乃至８のいずれか１項に記載の避難所用標示物セットに関する。
【発明の効果】
【００２０】
請求項１に係る発明によれば、避難所用標示物セットは案内標示用積層体を含み、前記案内標示用積層体は基材を備え、前記基材上には、印刷層が設けられており、前記印刷層は第１印刷面と第２印刷面とを備え、前記第１印刷面は、前記案内標示用積層体の中心方向から端部方向に向けて設けられ、方向を示す形状、文字、記号、又は色彩、あるいはそれらの１種以上の組み合わせから選択される方向標示領域を構成し、前記第２印刷面は、前記案内標示用積層体の中心領域に設けられ、文字、数字、又は記号、あるいはそれらの１種以上の組み合わせから選択されるメッセージ領域を構成し、前記第１印刷面を含む前記案内標示用積層体の各端部領域には脆弱部が設けられており、夫々切り離し可能であるため、避難所の各設備等の位置や方向を容易且つ視覚的に標示することができ、被災者が避難所の各設備等の位置や方向を容易に把握することができる。
また、不要な方向標示領域を切り離すことができるため、案内表示用積層体を設置する場所や設備の位置に合わせて、適切な方向支持領域だけを残すことができるため、あらゆる施設や場所において適切且つ迅速に使用することができる。
【００２１】
請求項２に係る発明によれば、前記第１印刷面が、前記案内標示積層体の少なくとも前後及び左右方向に夫々設けられており、少なくとも前後及び左右方向夫々の方向を示す方向標示領域を備えているため、少なくとも前後及び左右方向の１以上の方向を標示することができる。
【００２２】
請求項３に係る発明によれば、避難所用標示物セットはゴミ分別標示用積層体をさらに含み、前記ゴミ分別標示用積層体は基材を備え、前記基材上には、印刷層が設けられており、前記印刷層は、文字、数字、記号、又は色彩、あるいはそれらの１種以上の組み合わせから選択されるゴミ分別標示領域を構成し、前記ゴミ分別標示用積層体には、一辺と他辺を横断する折り曲げ線が少なくとも１以上設けられているため、避難所においてゴミの分別を標示できる。
【００２３】
請求項４に係る発明によれば、避難所用標示物セットは掲示板標示用積層体をさらに含み、前記掲示板標示用積層体は基材を備え、前記基材上には、印刷層が設けられており、前記印刷層は、文字、数字、記号、又は色彩、あるいはそれらの１種以上の組み合わせから選択されるカテゴリ標示領域を構成するため、各掲示板にいかなる種類の情報が記載されているかを標示できる。
【００２４】
請求項５に係る発明によれば、避難所用標示物セットはスタッフ標示用積層体をさらに含み、前記スタッフ標示用積層体は基材を備え、前記基材上には、印刷層が設けられており、前記印刷層は第１印刷面と第２印刷面とを備え、前記第１印刷面は、文字、数字、記号、又は色彩、あるいはそれらの１種以上の組み合わせから選択される第１役割標示領域を構成し、前記第２印刷面は、記号又は色彩、あるいはそれらの組み合わせからなる第２役割標示領域を構成し、前記第１印刷面と前記第２印刷面の境界には脆弱部が設けられており、夫々切り離し可能であるため、各スタッフやボランティアがいかなる役割についているかを標示できる。
【００２５】
請求項６に係る発明によれば、避難所用標示物セットは区画標示用積層体をさらに含み、前記区画標示用積層体は基材を備え、前記基材上には、印刷層が設けられており、前記印刷層は、文字、数字、記号、又は色彩、あるいはそれらの１種以上の組み合わせから選択される区画標示領域を構成するため、避難所内の各区画の境界線を明確に標示できる。
【００２６】
請求項７に係る発明によれば、避難所用標示物セットは地図作成標示用積層体をさらに含み、前記地図作成標示用積層体は基材を備え、前記基材上には、印刷層が設けられており、前記印刷層は１以上の印刷面を備え、前記１以上の印刷面は、文字、数字、記号、又は色彩、あるいはそれらの１種以上の組み合わせから選択される地点標示領域を構成し、前記１以上の印刷面の外周部には各々脆弱部が設けられており、夫々切り離し可能であるため、避難所及び避難所周辺の位置情報及び現在地を標示できる。
【００２７】
請求項８に係る発明によれば、避難所用標示物セットは標示用積層体が、シール、テープ、ラベル、又はタグ、あるいはそれらの組み合わせから選択されるため、標示物を設ける場所に適切な形態で提供できる。
【００２８】
請求項９に係る発明によれば、避難所用標示物セットの標示用積層体は基材の印刷層が設けられた面とは反対側の面に、接着剤層を介して剥離紙層が設けられているため、壁や床等、所望の箇所に容易に接着させることができる。
【図面の簡単な説明】
【００２９】
【図１】本発明に係る案内標示用積層体の断面図である。
【図２】本発明に係る案内標示用積層体を示す図であって、（ａ）は案内標示用積層体の一例を示す平面図、（ｂ）は案内標示用積層体の一例を示す平面図であって、複数の方向指示領域を切り離した様子を示す図、（ｃ）は案内標示用積層体のその他の例を示す平面図、（ｄ）は案内標示用積層体のその他の例を示す平面図である。
【図３】本発明に係るゴミ分別標示用積層体の一例を示す平面図である。
【図４】本発明に係る掲示板標示用積層体の一例を示す平面図である。
【図５】本発明に係るスタッフ標示用積層体の一例を示す平面図である。
【図６】本発明に係る区画標示用積層体の一例を示す平面図である。
【図７】本発明に係る地図作成標示用積層体の一例を示す平面図である。
【発明を実施するための形態】
【００３０】
［実施形態１］
以下、本発明に係る避難所用標示物セットの好適な実施形態について、図面を参照しながら説明する。
図１は本発明に係る案内標示用積層体の断面図である。図２は、本発明に係る案内標示用積層体を示す図であって、（ａ）は案内標示用積層体の一例を示す平面図、（ｂ）は案内標示用積層体の一例を示す平面図であって、複数の方向指示領域を切り離した様子を示す図、（ｃ）は案内標示用積層体のその他の例を示す平面図、（ｄ）は案内標示用積層体のその他の例を示す平面図である。
【００３１】
本発明の第一実施形態に係る避難所用標示物セットは、案内標示用積層体（１）を含む。
図１に示すように、案内標示用積層体（１）は少なくとも基材（２）を備え、基材（２）上には、印刷層（３）が設けられている。
【００３２】
基材（２）は、紙系基材やフィルム系(合成樹脂系)基材等の、シール、テープ、ラベル、又はタグ等に通常用いられ、当業者に自明のものであれば、いかなるものを用いても良い。
紙系基材は、例えば、上質紙、アート紙、マットコート紙、キャストコート紙、ホイル紙、感熱紙、和紙、蛍光紙、耐水紙、グラシン紙、クラフト紙等が挙げられるが、これに限定されない。
フィルム系(合成樹脂系)基材は、例えば、ポリエステル（ＰＥＴ）フィルム、ポリプロピレン（ＰＰ）フィルム、塩化ビニルフィルム、合成紙（ユポ紙）、アセテートサテン、金属箔、オレフィン系等が挙げられるが、これに限定されない。
【００３３】
案内標示用積層体（１）の印刷層（３）は第１印刷面（３１）と第２印刷面（３２）とを備えている。
案内標示用積層体（１）の形状は特に限定されず、例えば、平面視略四角形状（図２の（ａ）参照）、平面視略矩形状（図２の（ｃ）参照）、平面視略円形状（図２の（ｄ）参照）等、いかなる形状であっても良い。
【００３４】
印刷層（３）は、基材（２）上にインクにより印刷された層のことを指す。
インクは、基材（２）上に印刷するために通常用いられ、当業者に自明のものであれば、いかなるものも使用できる。
インクは、例えば、顔料インク、染料インク、印刷インク等が挙げられるが、これに限定されない。
インクには、バインダー、ポリマー、及び色素が含まれるが、これ以外の成分が含まれていても良い。
バインダー、ポリマー、及び色素は、印刷用のインクに通常用いられ、当業者に自明のものであれば、いかなるものも使用できる。
バインダーは、例えば、炭酸ソーダ、アンチモン塩類等が挙げられるが、これに限定されない。
色素（顔料・染料）は、例えば、無機顔料、有機顔料、レーキ顔料、蛍光顔料、天然染料、合成染料、蛍光染料等が挙げられるが、これに限定されない。
【００３５】
第１印刷面（３１）は、案内標示用積層体（１）の中心方向から端部方向に向けて設けられ、方向を示す形状、文字、記号、又は色彩、あるいはそれらの１種以上の組み合わせから選択される方向標示領域（４）を構成する。
第１印刷面（３１）は、案内標示用積層体（１）の少なくとも前後及び左右方向に夫々設けられていることが望ましい。これにより、少なくとも前後及び左右方向夫々の方向を示す方向標示領域（４）を備えることができ、壁だけでなく床や天井にも用いることができ、様々な方向を標示することができる。
方向標示領域（４）は、図２の（ａ）に示す如く矢印の記号を用いてもよく、図２の（ｃ）に示す如く第１印刷面（３１）の方向標示領域（４）の形状自体を矢印状としてもよく、第２印刷面（３２）と色分けして示してもよく、案内標示用積層体（１）を視認した者が、案内標示用積層体（１）の第２印刷面（３２）のメッセージ領域（５）に標示された設備等がどの方向にあるか分かる標示であればよい。
【００３６】
第１印刷面（３１）を含む案内標示用積層体（１）の各端部領域には脆弱部（６）として切り込みが設けられており、夫々切り離し可能である。
案内標示用積層体（１）に脆弱部（６）として設けられた切り込みは、第１印刷面（３１）を容易に切り離すことができるように図１に示す全ての層に設けられていることが望ましい。しかしこれに限定されず、第１印刷面（３１）の方向標示領域（４）を切り離すことができるのであれば、例えば、剥離紙層（７）にのみ切り込みを設けない等、全ての層に切り込みを設けなくとも良い。
脆弱部（６）の構造は切り込みに限定されず、案内標示用積層体（１）の各端部領域の切り離しが可能な構造であればよく、ミシン目、折り目、又は薄肉化などであっても良い。
【００３７】
第２印刷面（３２）は、案内標示用積層体（１）の中心領域に設けられ、文字、数字、又は記号、あるいはそれらの１種以上の組み合わせから選択されるメッセージ領域（５）を構成する。
第２印刷面（３２）のメッセージ領域（５）は、図２の（ａ）に示す如く記号及び文字の組み合わせでもよく、図２の（ｃ）に示す如く記号のみでもよく、案内標示用積層体（１）を視認した者が、案内標示用積層体（１）の第２印刷面（３２）のメッセージ領域（５）に標示された施設等が何であるかを認識できるメッセージであれば良い。
メッセージ領域（５）に標示される避難所の設備等の一例として、居住スペース、救護室、受付、ゴミ置き場、支援物資、女子トイレ、男子トイレ、女湯、男湯、情報掲示板等が挙げられるが、これに限定されない。
【００３８】
案内標示用積層体（１）は、テープロール型であってもよい。この場合、第１印刷面（３１）の方向標示領域（４）は、図２の（ｃ）に示す如く少なくとも左右方向にのみ設けられている。
【００３９】
避難所において、案内標示用積層体（１）を使用することで、視認性に優れた案内情報の標示を提供することができ、避難所で生活する被災者等がより容易に目的地に到達することができる。
【００４０】
［実施形態２］
次に、図３を参照して本発明の第二実施形態に係る避難所用標示物セットについて説明する。
図３は本発明に係るゴミ分別標示用積層体の一例を示す平面図である。
本発明の第二実施形態に係る避難所用標示物セットは、ゴミ分別標示用積層体（８）をさらに含む。
【００４１】
ゴミ分別標示用積層体（８）は少なくとも基材を備え、基材上には、印刷層が設けられている。
ゴミ分別標示用積層体（８）の形状は特に限定されず、例えば、平面視略四角形状、平面視略矩形状（図３参照）、平面視略円形状等、いかなる形状であっても良い。
尚、ゴミ分別標示用積層体（８）の基材及び印刷層の材質は、叙上の第一実施形態に記載のものと同様である。加えて、ゴミ分別標示用積層体（８）の積層構造は、印刷層が第１及び第２の印刷面に分かれておらず、脆弱部が設けられていないこと以外は図１に記載の積層構造と同様である。
【００４２】
印刷層は、文字、数字、記号、又は色彩、あるいはそれらの１種以上の組み合わせから選択されるゴミ分別標示領域（９）を構成する。
ゴミ分別標示用積層体（８）には、一辺と他辺を横断する折り曲げ線（１０）が少なくとも１以上設けられている（図３参照）。折り曲げ線（１０）が設けられていることにより、ゴミ分別標示用積層体（８）を折り曲げることで、ゴミ分別標示用積層体（８）を例えばゴミ箱の縁に引っ掛けることができ、容易にゴミ分別標示用積層体（８）をゴミ箱に設置できる。
また、図３に示す如く、印刷層上にゴミ分別標示用積層体（８）の折りたたみ方を示す模式図（１１）を標示してもよい。これにより、正しい折りたたみ方を容易に理解することができ、ゴミ分別標示用積層体（８）をより容易にゴミ箱に設置することができる。
【００４３】
印刷層のゴミ分別標示領域（９）は、図３に示す如く記号及び文字の組み合わせでもよく、記号や文字のみでもよく、ゴミ分別標示用積層体（８）を視認した者が、ゴミ分別標示用積層体（８）の印刷層のゴミ分別標示領域（９）に標示されたゴミの種類が何であるかを認識できるものであれば良い。
ゴミ分別標示領域（９）に標示されるゴミの種類の一例として、燃えるゴミ、燃えないゴミ、ビン、カン、ペットボトル、ペットボトルのフタ、生ゴミ、資源ゴミ等が挙げられるが、これに限定されない。
【００４４】
避難所において、ゴミ分別標示用積層体（８）を使用することで、ダンボール等に直接マジック等でゴミの種類を記載する等していた従来の標示方法と比較して、より容易且つ視認性に優れたゴミの分別の標示を提供することができる。
【００４５】
［実施形態３］
次に、図４を参照して本発明の第三実施形態に係る避難所用標示物セットについて説明する。
図４は、本発明に係る掲示板標示用積層体の一例を示す平面図である。
本発明の第三実施形態に係る避難所用標示物セットは、掲示板標示用積層体（１２）をさらに含む。
【００４６】
掲示板標示用積層体（１２）は少なくとも基材を備え、基材上には、印刷層が設けられている。
掲示板標示用積層体（１２）の形状は特に限定されず、例えば、平面視略四角形状、平面視略矩形状（図４参照）、平面視略円形状等、いかなる形状であっても良い。
尚、掲示板標示用積層体（１２）の基材及び印刷層の材質は、叙上の第一実施形態に記載のものと同様である。加えて、掲示板標示用積層体（１２）の積層構造は、印刷層が第１及び第２の印刷面に分かれておらず、脆弱部が設けられていないこと以外は図１に記載の積層構造と同様である。
【００４７】
印刷層は、文字、数字、記号、又は色彩、あるいはそれらの１種以上の組み合わせから選択されるカテゴリ標示領域（１３）を構成する。
印刷層のカテゴリ標示領域（１３）は、図４に示す如く記号及び文字の組み合わせでもよく、記号や文字のみでもよく、掲示板標示用積層体（１２）を視認した者が、掲示板標示用積層体（１２）の印刷層のカテゴリ標示領域（１３）に標示された情報のカテゴリが何であるかを認識できるものであれば良い。
カテゴリ標示領域（１３）に標示される情報のカテゴリの一例として、食料、医療、伝言板、日用品、衣料、交通等が挙げられるが、これに限定されない。
【００４８】
避難所において、掲示板標示用積層体（１２）を使用することで、ホワイトボードや黒板等の掲示板に雑多に張られていた従来の各種情報の掲示方法と比較して、より容易且つ視認性に優れた情報のカテゴリの標示を提供することができる。
【００４９】
［実施形態４］
次に、図５を参照して本発明の第四実施形態に係る避難所用標示物セットについて説明する。
図５は、本発明に係るスタッフ標示用積層体の一例を示す平面図である。
本発明の第四実施形態に係る避難所用標示物セットは、スタッフ標示用積層体（１４）をさらに含む。
【００５０】
スタッフ標示用積層体（１４）は少なくとも基材を備え、基材上には、印刷層が設けられている。
スタッフ標示用積層体（１４）の形状は特に限定されず、例えば、平面視略四角形状、平面視略矩形状（図５参照）、平面視略円形状等、いかなる形状であっても良い。
尚、スタッフ標示用積層体（１４）の基材及び印刷層の材質は、叙上の第一実施形態に記載のものと同様である。
【００５１】
印刷層は、第１印刷面と第２印刷面とを備え、第１印刷面は、文字、数字、記号、又は色彩、あるいはそれらの１種以上の組み合わせから選択される第１役割標示領域（１５）を構成する。
第１役割標示領域（１５）は、図５に示す如く記号及び文字の組み合わせでもよく、記号や文字のみでもよく、スタッフ標示用積層体（１４）を視認した者が、スタッフ標示用積層体（１４）の印刷層の第１役割標示領域（１５）に標示されたスタッフの役割が何であるかを認識できるものであれば良い。
第１役割標示領域（１５）は、書き込み部（１６）を備えていることが望ましい。書き込み部（１６）を備えていることにより、そのスタッフのより詳細な役割や名前等の所望の情報を記載することができる。
第１役割標示領域（１５）は、スタッフの衣服の胸部や背部に接着させる等により固定するが、固定方法は特に限定されない。
【００５２】
第２印刷面は、記号又は色彩、あるいはそれらの組み合わせからなる第２役割標示領域（１７）を構成する。
第２役割標示領域（１７）は、図５に示す如く記号のみでもよく、記号及び色彩の組み合わせでもよく、スタッフ標示用積層体（１４）を視認した者が、スタッフ標示用積層体（１４）の第２役割標示領域（１７）に標示されたスタッフの役割が何であるかを認識できるものであれば良い。
第２役割標示領域（１７）は、スタッフの腕部に接着させる等により固定するが、固定方法は特に限定されない。
【００５３】
第１役割標示領域（１５）と第２役割標示領域（１７）の境界には脆弱部（１８）として切り込みが設けられており、夫々切り離し可能である。
第１役割標示領域（１５）と第２役割標示領域（１７）の境界に脆弱部（１８）として設けられた切り込みは、第１役割標示領域（１５）と第２役割標示領域（１７）を切り離した後、スタッフの衣服に接着できるように、図１に示す各層の内、剥離紙層（７）以外に設けられていることが望ましい。しかしこれに限定されず、第１役割標示領域（１５）と第２役割標示領域（１７）を切り離すことができるのであれば、例えば、全ての層に切り込みを設けてもよい。
脆弱部（１８）の構造は切り込みに限定されず、第１役割標示領域（１５）と第２役割標示領域（１７）の切り離しが可能となる構造であればよく、ミシン目、折り目、又は薄肉化などであっても良い。
尚、スタッフ標示用積層体（１４）の積層構造は、上記した脆弱部（１８）と印刷層の特徴以外、図１に記載の積層構造と同様である。
【００５４】
第１役割標示領域（１５）と第２役割標示領域（１７）に標示されるスタッフの役割の一例として、医療、コミュニケーション、スタッフ、食事等が挙げられるが、これに限定されない。
【００５５】
避難所において、スタッフ標示用積層体（１４）を使用することで、大勢のスタッフや被災者がいる中で、スタッフを見分け、さらにスタッフの役割をより容易に確認できる標示を提供することができる。
【００５６】
［実施形態５］
次に、図６を参照して本発明の第五実施形態に係る避難所用標示物セットについて説明する。
図６は、本発明に係る区画標示用積層体の一例を示す平面図である。
本発明の第五実施形態に係る避難所用標示物セットは、区画標示用積層体（１９）をさらに含む。
【００５７】
区画標示用積層体（１９）は少なくとも基材を備え、基材上には、印刷層が設けられている。
区画標示用積層体（１９）は、区画間の境界の一定長さにわたって設けることが好ましいため、例えばロールされた平面視略矩形状（図６参照）であることが望ましい。しかしながら、これに限定されず、例えば、平面視略四角形状、平面視略円形状等、いかなる形状であっても良い。
尚、区画標示用積層体（１９）の基材及び印刷層の材質は、叙上の第一実施形態に記載のものと同様である。加えて、区画標示用積層体（１９）の積層構造は、印刷層が第１及び第２の印刷面に分かれておらず、脆弱部が設けられていないこと以外は図１に記載の積層構造と同様である。
【００５８】
印刷層は、文字、数字、記号、又は色彩、あるいはそれらの１種以上の組み合わせから選択される区画標示領域（２０）を構成する。
印刷層の区画標示領域（２０）は、図６に示す如く記号及び文字の組み合わせでもよく、記号や文字のみでもよく、区画標示用積層体（１９）を視認した者が、区画標示用積層体（１９）の印刷層の区画標示領域（２０）に標示された区画がいかなる区画であるかを認識できるものであれば良い。
区画標示領域（２０）に標示される区画の種類の一例として、居住スペース、思いやりスペース、立ち入り禁止、通路等が挙げられるが、これに限定されない。
【００５９】
避難所において、区画標示用積層体（１９）を使用することで、各区画間を明確に区切ることができるため、避難所内での混雑や混乱を回避することができる。加えて、要配慮者のためのスペースを確保することができる。
【００６０】
［実施形態６］
次に、図７を参照して本発明の第六実施形態に係る避難所用標示物セットについて説明する。
図７は、本発明に係る地図作成標示用積層体の一例を示す平面図である。
本発明の第六実施形態に係る避難所用標示物セットは、地図作成標示用積層体（２１）をさらに含む。
【００６１】
地図作成標示用積層体（２１）は少なくとも基材を備え、基材上には、印刷層が設けられている。
地図作成標示用積層体（２１）の形状は特に限定されず、例えば、平面視略四角形状、平面視略矩形状（図７参照）、平面視略円形状等、いかなる形状であっても良い。
尚、地図作成標示用積層体（２１）の基材及び印刷層の材質は、叙上の第一実施形態に記載のものと同様である。
【００６２】
印刷層は１以上の印刷面を備え、前記１以上の印刷面は、文字、数字、記号、又は色彩、あるいはそれらの１種以上の組み合わせから選択される地点標示領域（２２）を構成する。
印刷層の地点標示領域（２２）は、図６に示す如く記号及び文字の組み合わせでもよく、記号や文字のみでもよく、地図作成標示用積層体（２１）を視認した者が、地図作成標示用積層体（２１）の印刷層の地点標示領域（２２）に標示された地点がいかなる地点であるかを認識できるものであれば良い。
【００６３】
地図作成標示用積層体（２１）の印刷層上には、地図作成領域が設けられていることが望ましい。これにより、地図作成標示用積層体（２１）のみで地図を作成することができる。
尚、地図作成領域は、図７に示す如く白紙であっても良く、ドットや罫線等が設けられていても良い。
【００６４】
印刷層の地点標示領域（２２）の各々の外周部には脆弱部（２３）として切り込みが設けられており、夫々切り離し可能である。
地点標示領域（２２）の各々の外周部に脆弱部（２３）として設けられた切り込みは、地点標示領域（２２）を切り離した後、地図作成領域等に接着できるように、図１に示す各層の内、剥離紙層（７）以外に設けられていることが望ましい。しかしこれに限定されず、地点標示領域（２２）を切り離すことができるのであれば、例えば、全ての層に切り込みを設けてもよい。
脆弱部（２３）の構造は切り込みに限定されず、地点標示領域（２２）の切り離しが可能となる構造であればよく、ミシン目、折り目、又は薄肉化などであっても良い。
尚、地図作成標示用積層体（２１）の積層構造は、叙上の印刷層及び脆弱部の特徴以外は、図１に記載の積層構造と同様である。
【００６５】
地点標示領域（２２）に標示される地点の種類の一例として、現在地、居住スペース、救護室、立ち入り禁止、受付、女子トイレ、男子トイレ、女湯、男湯、ゴミ置き場、情報掲示板、支援物資、何も記載されていない手書き用の白紙等が挙げられるが、これに限定されない。
【００６６】
避難所において、地図作成標示用積層体（２１）を使用することで、現在地や目的地までの道順等を明確に把握することができるため、避難所内での混雑や混乱を回避することができる。
【００６７】
叙上の第一乃至第六実施形態において、各標示用積層体に標示される文字は、日本語だけでなく、英語、中国語、韓国語等、所望の言語を用いることができる。
【００６８】
叙上の第一乃至第六実施形態において、各標示用積層体は、シール、テープ、ラベル、又はタグ、あるいはそれらの組み合わせから選択される。
また、各標示用積層体は、図１に示す如く、基材（２）の印刷層（３）が設けられた面とは反対側の面に、接着剤層（２４）を介して剥離紙層（７）が設けられていることが望ましい。これにより、剥離紙層（７）を剥がすだけで接着剤層（２４）が露出するため、各標示用積層体を所望の箇所に容易に接着させることができる。
尚、接着剤層（２４）及び剥離紙層（７）を設けない場合であって、標示用積層体を所望の位置に固定する場合は、別途接着剤を使用する、あるいはクリップ等の固定手段を用いて固定しても良い。
【００６９】
接着剤層（２４）に用いる接着剤の種類は特に限定されず、シール、テープ、ラベル、又はタグ等に通常用いられる接着剤であり、当業者に自明のものであれば、いかなるものでも用いることができる。
接着剤は、一例として、アクリル系接着剤、エポキシ系接着剤、ウレタン系接着剤、シリコーン系接着剤、天然ゴム・合成ゴム系粘着剤、アクリル系粘着剤、シリコーン系粘着剤、エラストマー系粘着剤、ポリオレフィン系粘着剤等が挙げられるが、これに限定されない。
【００７０】
剥離紙層（７）に用いる剥離紙の種類は特に限定されず、シール、テープ、ラベル、又はタグ等に通常用いられる剥離紙であり、当業者に自明のものであれば、いかなるものでも用いることができる。
また、本発明において、剥離紙には、紙を基材とする剥離紙と、フィルムを基材とする剥離フィルムとが含まれる。
剥離紙のタイプは、一例として、グラシンダイレクトタイプ、樹脂ラミネート目止めタイプ、樹脂コート目止めタイプ、非シリコーンタイプ、カール抑制タイプ等があるが、これに限定されない。
【産業上の利用可能性】
【００７１】
本発明に係る避難所用標示物セットは、避難所において、被災者が避難先の避難所の設備情報を容易に素早く把握することができ、避難所に入ってくる情報をスムーズに把握することができる避難所用標示物セットを提供できる。それゆえに、本発明に係る避難所用標示物セットは、例えば、地震や台風等の災害時に、被災者が避難生活を送るための避難所等において好適に使用される。
【符号の説明】
【００７２】
１      案内標示用積層体
２      基材
３      印刷層
３１    第１印刷面
３２    第２印刷面
４      方向標示領域
５      メッセージ領域
６      脆弱部（案内標示用積層体）
７      剥離紙層
８      ゴミ分別標示用積層体
９      ゴミ分別標示領域
１０    折り曲げ線
１１    模式図
１２    掲示板標示用積層体
１３    カテゴリ標示領域
１４    スタッフ標示用積層体
１５    第１役割標示領域
１６    書き込み部
１７    第２役割標示領域
１８    脆弱部（スタッフ標示用積層体）
１９    区画標示用積層体
２０    区画標示領域
２１    地図作成標示用積層体
２２    地点標示領域
２３    脆弱部（地図作成標示用積層体）
２４    接着剤層
【図１】
2018112683.tif 000003
【図２】
2018112683.tif 000004
【図３】
2018112683.tif 000005
【図４】
2018112683.tif 000006
【図５】
2018112683.tif 000007
【図６】
2018112683.tif 000008
【図７】
2018112683.tif 000009